(57)【要約】【課題】作業員の据付作業時の手間の増加を抑制するとともに、コストの低減化を図った上で、管理階床データを設定することのできる信号伝送装置、及び管理階床データ設定方法を得る。【解決手段】制御盤１０から供給される交流電源を直流電源に変換する乗場電源部３０と、各階床の乗場表示器制御盤２０のそれぞれに設けられ、制御盤１０に設けられた親局制御部１１とデータ通信可能に接続された複数の子局制御部２１と、が乗場電源部３０から各階床の乗場表示器制御盤２０までの距離に応じて異なる長さの電源供給ライン５０ｂにより接続されている。親局制御部１１は、各子局制御部２１から受信する各階床で異なる電圧値データを基に電圧値データと管理階床データとを関連付けた割付完了情報として生成して各子局制御部２１に送信する。各子局制御部２１は、割付完了情報の中から、自身の電圧値データに対応する管理階床データを設定する。【選択図】図１
2015089844.tif 000002
【特許請求の範囲】
【請求項１】
エレベータの制御盤に設けられた親局制御部、
上記エレベータの乗場の各階床に設置された乗場表示器制御盤のそれぞれに設けられ、伝送信号ラインにより上記親局制御部とデータ通信可能に接続された複数の子局制御部、
上記制御盤から供給される交流電源を直流電源に変換する乗場電源部、及び
上記複数の子局制御部のそれぞれと上記乗場電源部とを接続し、上記乗場電源部で変換された直流電源を上記複数の子局制御部のそれぞれに供給する電源供給ライン
を備え、
上記複数の子局制御部のそれぞれと上記乗場電源部とを接続するそれぞれの電源供給ラインの長さは、上記乗場電源部から上記乗場表示器制御盤のそれぞれが設置されている各階床までの距離に応じて異なっており、
上記複数の子局制御部のそれぞれは、自身のデータであることを識別するために階床毎に異なる値として設定される管理階床データが未設定の場合には、異なる長さの上記電源供給ラインを介して上記乗場電源部から受電した、各階床で異なる電圧値データを、上記親局制御部に上記伝送信号ラインを介して送信し、
上記親局制御部は、上記複数の子局制御部から受信したそれぞれの電圧値データの大きさに基づいて、上記複数の子局制御部のそれぞれに対する上記管理階床データを割り付け、全階床の割り付け結果を、電圧値データと管理階床データとを関連付けた割付完了情報として生成し、上記伝送信号ラインを介して上記複数の子局制御部のそれぞれに送信し、
上記複数の子局制御部のそれぞれは、上記親局制御部から送信された上記割付完了情報の中から、自身が送信した電圧値データに対応する管理階床データを取り出し、自身の管理階床データを設定する
エレベータの信号伝送装置。
【請求項２】
上記親局制御部は、上記割付完了情報を記憶する記憶部を有し、上記記憶部に上記割付完了情報が記憶されていない場合には、全ての階床で乗場表示器を点灯させた後に上記電圧値データの読み取り結果を返送させるための指令を、上記伝送信号ラインを介して上記複数の子局制御部のそれぞれに送信し、
上記複数の子局制御部のそれぞれは、上記指令を受信した場合には、自身の乗場表示器を点灯させ、上記乗場表示器を点灯させることで電流を消費している状態で読み取った上記電圧値データを、上記親局制御部に上記伝送信号ラインを介して返送し、
上記親局制御部は、上記指令の返答として上記複数の子局制御部から受信したそれぞれの電圧値データの大きさに基づいて生成した上記割付完了情報を、上記伝送信号ラインを介して上記複数の子局制御部のそれぞれに送信する
請求項１に記載のエレベータの信号伝送装置。
【請求項３】
上記エレベータの乗場の全階床は、複数のブロックに区切られており、
上記乗場電源部は、上記複数のブロックに対応して設けられた複数の乗場電源部として構成され、それぞれの乗場電源部は、異なる長さの電源供給ラインを介して、自身の受け持つ階床の乗場表示器制御盤のそれぞれと接続されており、
上記制御盤は、通常運転モード時には、上記複数の乗場電源部の全てに対して上記交流電源を供給し、上記管理階床データの割り付けモード時には、外部からの切り換え信号に応じて選択切り換えた上記複数の乗場電源部のいずれか一つに対して上記交流電源を供給する電源切換部をさらに備え、
上記親局制御部は、上記管理階床データの割り付けモード時には、上記電源切換部に対して上記切り換え信号を与えることで、上記交流電源が供給される乗場電源部を順次切り換え、上記複数のブロックのそれぞれにおける上記管理階床データの割り付けをブロック毎に順次実行する
請求項１または請求項２に記載のエレベータの信号伝送装置。
【請求項４】
エレベータの制御盤に設けられた親局制御部、
上記エレベータの乗場の各階床に設置された乗場表示器制御盤のそれぞれに設けられ、伝送信号ラインにより上記親局制御部とデータ通信可能に接続された複数の子局制御部、
上記制御盤から供給される交流電源を直流電源に変換する乗場電源部、及び
上記複数の子局制御部のそれぞれと上記乗場電源部とを接続し、上記乗場電源部で変換された直流電源を上記複数の子局制御部のそれぞれに供給する電源供給ライン
を備えて構成されるエレベータの信号伝送装置において実行されるエレベータの管理階床データ設定方法であって、
上記複数の子局制御部のそれぞれと上記乗場電源部とを接続するそれぞれの電源供給ラインの長さは、上記乗場電源部から上記乗場表示器制御盤のそれぞれが設置されている各階床までの距離に応じて異なっており、
上記複数の子局制御部のそれぞれにおいて、自身のデータであることを識別するために階床毎に異なる値として設定される管理階床データが未設定の場合には、異なる長さの上記電源供給ラインを介して上記乗場電源部から受電した、各階床で異なる電圧値データを、上記親局制御部に上記伝送信号ラインを介して送信する電圧値データ送信ステップと、
上記親局制御部において、上記複数の子局制御部から受信したそれぞれの電圧値データの大きさに基づいて、上記複数の子局制御部のそれぞれに対する上記管理階床データを割り付け、全階床の割り付け結果を、電圧値データと管理階床データとを関連付けた割付完了情報として生成し、上記伝送信号ラインを介して上記複数の子局制御部のそれぞれに送信する管理階床データ割付ステップと、
上記複数の子局制御部のそれぞれにおいて、上記親局制御部から送信された上記割付完了情報の中から、自身が送信した電圧値データに対応する管理階床データを取り出し、自身の管理階床データを設定する管理階床データ設定ステップと
を有するエレベータの管理階床データ設定方法。
【発明の詳細な説明】
【技術分野】
【０００１】
この発明は、エレベータの制御盤と各階の乗場表示器制御盤との間で信号を伝送するエレベータの信号伝送装置、及びエレベータの管理階床データ設定方法に関するものである。
【背景技術】
【０００２】
従来、各階に設けられた制御基板に各階固有の管理階床データを自動で設定するために、かごに投光器が設けられ、各階の乗場に受光器が設けられた階床自動設定装置が知られている（例えば、特許文献１参照）。この特許文献１に開示された階床自動設定装置では、かごに設けられた投光器からの発光を、かごが停止した階の乗場に設けられた受光器が感知したときに、かごが停止した階の制御基板が、内蔵された不揮発メモリを書き込み可能にする。
【０００３】
エレベータの制御盤からは、各階に階床データが送出されている。一方、各階の制御基板側では、書き込み可能になっている不揮発メモリにのみ、制御盤から送出された階床データが書き込まれる。この動作が、最下階から順に最上階へ向かって行われる。これにより、各階床全てに固有の管理階床データが書き込まれている。
【先行技術文献】
【特許文献】
【０００４】
【特許文献１】特開２００２−３１０９号公報
【発明の概要】
【発明が解決しようとする課題】
【０００５】
しかしながら、従来技術には、以下のような課題がある。
特許文献１に示されているエレベータの階床自動設定装置では、エレベータ据付時の初期作業だけで必要となる管理階床データ設定のためにのみ、投光器及び受光器を設置する必要があり、コストが高くなるという問題があった。また、エレベータ据付時において、投光器及び受光器を設置する作業が不可欠であり、作業員による据付作業の手間がかかる問題があった。
【０００６】
この発明は、上記のような課題を解決するためになされたものであり、作業員の据付作業時の手間の増加を抑制するとともに、コストの低減化を図った上で、管理階床データを設定することのできるエレベータの信号伝送装置、及びエレベータの管理階床データ設定方法を得ることを目的とする。
【課題を解決するための手段】
【０００７】
この発明によるエレベータの信号伝送装置は、エレベータの制御盤に設けられた親局制御部、エレベータの乗場の各階床に設置された乗場表示器制御盤のそれぞれに設けられ、伝送信号ラインにより親局制御部とデータ通信可能に接続された複数の子局制御部、制御盤から供給される交流電源を直流電源に変換する乗場電源部、及び複数の子局制御部のそれぞれと乗場電源部とを接続し、乗場電源部で変換された直流電源を複数の子局制御部のそれぞれに供給する電源供給ラインを備え、複数の子局制御部のそれぞれと乗場電源部とを接続するそれぞれの電源供給ラインの長さは、乗場電源部から乗場表示器制御盤のそれぞれが設置されている各階床までの距離に応じて異なっており、複数の子局制御部のそれぞれは、自身のデータであることを識別するために階床毎に異なる値として設定される管理階床データが未設定の場合には、異なる長さの電源供給ラインを介して乗場電源部から受電した、各階床で異なる電圧値データを、親局制御部に伝送信号ラインを介して送信し、親局制御部は、複数の子局制御部から受信したそれぞれの電圧値データの大きさに基づいて、複数の子局制御部のそれぞれに対する管理階床データを割り付け、全階床の割り付け結果を、電圧値データと管理階床データとを関連付けた割付完了情報として生成し、伝送信号ラインを介して複数の子局制御部のそれぞれに送信し、複数の子局制御部のそれぞれは、親局制御部から送信された割付完了情報の中から、自身が送信した電圧値データに対応する管理階床データを取り出し、自身の管理階床データを設定する。
【０００８】
また、この発明によるエレベータの管理階床データ設定方法は、エレベータの制御盤に設けられた親局制御部、エレベータの乗場の各階床に設置された乗場表示器制御盤のそれぞれに設けられ、伝送信号ラインにより親局制御部とデータ通信可能に接続された複数の子局制御部、制御盤から供給される交流電源を直流電源に変換する乗場電源部、及び複数の子局制御部のそれぞれと乗場電源部とを接続し、乗場電源部で変換された直流電源を複数の子局制御部のそれぞれに供給する電源供給ラインを備えて構成されるエレベータの信号伝送装置において実行されるエレベータの管理階床データ設定方法であって、複数の子局制御部のそれぞれと乗場電源部とを接続するそれぞれの電源供給ラインの長さは、乗場電源部から乗場表示器制御盤のそれぞれが設置されている各階床までの距離に応じて異なっており、複数の子局制御部のそれぞれにおいて、自身のデータであることを識別するために階床毎に異なる値として設定される管理階床データが未設定の場合には、異なる長さの電源供給ラインを介して乗場電源部から受電した、各階床で異なる電圧値データを、親局制御部に伝送信号ラインを介して送信する電圧値データ送信ステップと、親局制御部において、複数の子局制御部から受信したそれぞれの電圧値データの大きさに基づいて、複数の子局制御部のそれぞれに対する管理階床データを割り付け、全階床の割り付け結果を、電圧値データと管理階床データとを関連付けた割付完了情報として生成し、伝送信号ラインを介して複数の子局制御部のそれぞれに送信する管理階床データ割付ステップと、複数の子局制御部のそれぞれにおいて、親局制御部から送信された割付完了情報の中から、自身が送信した電圧値データに対応する管理階床データを取り出し、自身の管理階床データを設定する管理階床データ設定ステップとを有する。
【発明の効果】
【０００９】
この発明によれば、乗場電源部と子局制御部とが、乗場電源部から各乗場表示器制御盤までの距離に応じて異なる長さの電源供給ラインにより接続されていることに加え、異なる長さの電源供給ラインには、乗場電源部で変換された直流電源が供給されていることにより、各乗場表示器制御盤で生じる電圧の差を用いて管理階床データを設定することができる。これにより、管理階床データ設定用に別途装置を設ける必要がないので、作業員の据付作業時の手間の増加を抑制するとともに、コストの低減化を図った上で、管理階床データを設定することのできるエレベータの信号伝送装置、及びエレベータの管理階床データ設定方法を得ることができる。
【図面の簡単な説明】
【００１０】
【図１】本発明の実施の形態１による伝送信号装置を示す構成図である。
【図２】本発明の実施の形態１による伝送信号装置を用いた管理階床データ設定方法を示すフローチャートである。
【図３】本発明の実施の形態２による伝送信号装置を用いた管理階床データ設定方法を示すフローチャートである。
【図４】本発明の実施の形態３による伝送信号装置を示す構成図である。
【図５】本発明の実施の形態３による伝送信号装置を用いた管理階床データ設定方法を示すフローチャートである。
【図６】本発明の実施の形態４による伝送信号装置を示す構成図である。
【図７】本発明の実施の形態４による伝送信号装置を用いた管理階床データ設定方法を示すフローチャートである。
【発明を実施するための形態】
【００１１】
実施の形態１．
図１は、本発明の実施の形態１による伝送信号装置を示す構成図である。図１に示すように、エレベータは、図示しない機械室に設けられた巻上機１に主索（例えば、ロープまたはベルト）２が巻き掛けられている。この例では、機械室が昇降路の上部に配置されているとして説明する。
【００１２】
主索２には、かご３及び釣合おもり４が吊り下げられている。この例では、主索２の一端部にかご３の上部が接続され、主索２の他端部に釣合おもり４の上部が接続されている。かご３及び釣合おもり４は、巻上機１がエレベータの制御盤１０（以下、制御盤１０と称す）によって回転されることにより、昇降路内を上下方向へ移動される。これにより、エレベータの利用者は、かご３を利用し、例えば、Ｎ階とＮ＋ｎ階との間を行き来する（Ｎ，ｎは任意の整数）。
【００１３】
次に、エレベータの伝送信号装置（以下、単に伝送信号装置と称す）について説明する。伝送信号装置は、制御盤１０と、各乗場に設置された複数の乗場表示器制御盤２０と、制御盤１０から供給される交流電源を直流電源に変換する乗場電源部３０と、制御盤１０と各乗場表示器制御盤２０とを接続する伝送信号ライン４０と、乗場電源部３０を介して制御盤１０と各乗場表示器制御盤２０とを接続する電源供給用ライン５０と、を有している。
【００１４】
この例では、制御盤１０が、機械室に設置されている。また、制御盤１０は、親局マイクロコンピュータ（親局制御部，以下、親局マイコンと称す）１１、親局マイコン１１に接続された親局ＵＡＲＴ回路１２、各階床電圧値記憶部１３、各管理階床割付部１４、割付後管理階床データ記憶部（記憶部）１５、及びトランス（変圧器）１６、を有している。トランス１６は、制御盤１０に実装されおり、その他は、全て制御盤１０に設けられた制御基板に搭載されている。
【００１５】
また、各乗場表示器制御盤２０は、各階床の乗場５にそれぞれ設けられている。乗場表示器制御盤２０は、子局マイクロコンピュータ（子局制御部，以下、子局マイコンと称す）２１、子局マイコン２１に接続された子局ＵＡＲＴ回路２２、分圧回路２３、電圧値記憶部２４、電圧値比較部２５、管理階床データ記憶部２６、及びＩ／Ｆ（インターフェース）回路部２７、を有しており、全て、乗場表示器制御盤２０に設けられた制御基板に搭載されている。
【００１６】
さらに、乗場表示器制御盤２０は、各階床の乗場５に設けられた乗場表示器２００と接続されている。子局マイコン２１は、制御盤１０からの指令で、Ｉ／Ｆ回路部２７を介して乗場表示器２００を制御する。乗場表示器２００は、エレベータの進行方向を表示する方向灯２０１と、かご３が位置する階床を表示するインジケータ２０２と、乗場５の利用者が行先を登録する呼び釦灯２０３と、を有している。
【００１７】
制御盤１０内の親局ＵＡＲＴ回路１２と、各階床に設けられた乗場表示器制御盤２０内のそれぞれの子局ＵＡＲＴ回路２２とは、直列信号が伝送される直列信号伝送路である伝送信号ライン４０により接続されている。これにより、親局マイコン１１と子局マイコン２１との間では、伝送信号ライン４０を介してデータ通信が可能になっている。親局ＵＡＲＴ回路１２と子局ＵＡＲＴ回路２２とは、それぞれ親局マイコン１１と子局マイコン２１とのインターフェースとして機能する。
【００１８】
また、トランス１６と各乗場表示器制御盤２０の分圧回路２３とは、乗場電源部３０を介して電源供給用ライン５０により接続されている。電源供給用ライン５０は、トランス１６から乗場電源部３０へ供給される交流電源が通る交流電源供給ライン５０ａと、乗場電源部３０により交流電源から変換された直流電源を各乗場表示器制御盤２０の分圧回路２３に供給する直流電源供給ライン（電源供給ライン）５０ｂとを有している。
【００１９】
乗場電源部３０は、制御盤１０が設置されている機械室に設置されている。これにより、機械室の乗場電源部３０から各乗場の乗場表示器制御盤２０までの距離は全て異なる。従って、乗場電源部３０から供給される直流電源が各乗場表示器制御盤２０の分圧回路２３に達するまでの直流電源供給ライン５０ｂの長さは、乗場電源部３０から各乗場５に設置されている乗場表示器制御盤２０までの距離に応じてそれぞれ異なっている。即ち、各乗場表示器制御盤２０は、それぞれ異なる長さの直流電源供給ライン５０ｂで乗場電源部３０と接続されている。
【００２０】
次に、本実施の形態１における伝送信号装置の一連動作について、フローチャートを用いて説明する。図２は、本発明の実施の形態１による伝送信号装置を用いた管理階床データ設定方法を示すフローチャートである。先ず、制御盤１０に実装されたトランス１６は、交流電源供給ライン５０ａを通して乗場電源部３０に交流電流を供給する（ステップＳ１０１）。
【００２１】
乗場電源部３０は、供給された交流電源を直流電源に変換し、直流電源供給ライン５０ｂを通して各乗場表示器制御盤２０に供給する（ステップＳ１０２）。通常、乗場電源部３０は、階床８個（８階分）を一まとめにして直流電源を供給している。なお、本実施の形態１では、乗場電源部３０を１つだけ備えた構成を例示している。
【００２２】
このとき、乗場電源部３０から各乗場表示器制御盤２０へ供給された電圧は、各乗場表示器制御盤２０の分圧回路２３により、子局マイコン２１の電気定格範囲内に分圧される。各子局マイコン２１は、分圧回路２３により電気定格範囲内に分圧された直流電源をＡ／Ｄ変換して、電圧値記憶部２４に自階床の仮電圧値データ（電圧値データ）として保存する。
【００２３】
次に、各子局マイコン２１は、自階床の管理階床データ記憶部２６の管理階床データが”０”か否かを確認する（ステップＳ１０３）。管理階床データ記憶部２６の管理階床データが”０”とは、例えば、階床が８階分あるにも関わらず、階床毎に識別用の固有の値として割り付けられる管理階床データが設定されていない状態を意味している。管理階床データ記憶部２６の管理階床データが”０”になっているときは、例えば、エレベータ据付工事時が挙げられ、実運用開始前の段階では、まだ管理階床データが設定されていないこととなる。
【００２４】
管理階床データが”０”でないことが確認されると、管理階床データは設定済みであるので、管理階床データ設定作業は完了する。一方、管理階床データが”０”であると確認された場合には、各子局マイコン２１は、ステップＳ１０２で供給される直流電源をＡ／Ｄ変換して、電圧値記憶部２４に自階床の仮電圧値データとして保存するとともに、仮電圧値データを親局マイコン１１に送信する（電圧値データ送信ステップ、ステップＳ１０４）。
【００２５】
親局マイコン１１は、各子局マイコン２１から送信された仮電圧値データを階床電圧値記憶部１３に保存する。親局マイコン１１は、全ての階床の仮電圧値データを階床電圧値記憶部１３に保存させた後、管理階床割付部１４に対して、全ての階床の仮電圧値データの大きさを基に、それぞれの仮電圧値データ毎に管理階床データを割り付ける指示を出す。
【００２６】
親局マイコン１１から管理階床データを割り付ける指示を受けた管理階床割付部１４は、階床電圧値記憶部１３の仮電圧値データの最低値から順に乗場電源部３０から離れた階床の管理階床データとして割り付ける（ステップＳ１０５）。乗場電源部３０から各乗場表示器制御盤２０に到達するまでに直流電源が通る直流電源供給ライン５０ｂの長さが異なるため、乗場電源部３０から離れるにつれて電圧が下がる。従って、各乗場表示器制御盤２０が受電する仮電圧値データは、乗場表示器制御盤２０毎に異なっている。そこで、管理階床割付部１４は、この電圧降下の性質を利用して、各階床から取得した仮電圧値データの大きさに応じて、管理階床データを割り付けることが可能となる。
【００２７】
従って、この例では、管理階床割付部１４は、仮電圧値データの最低値の送信元である乗場表示器制御盤２０が、乗場電源部３０から最も離れた最下階に設置された乗場表示器制御盤２０であると判断し、最下階の管理階床データを割り付けることとなる。同様にして、管理階床割付部１４は、仮電圧値データの大きさに応じて管理階床データの割り付けを行う。この結果、最下階をＮ階とすると、仮電圧値データの２番目に低い値から順に、Ｎ＋１階、Ｎ＋２階、と割り付けられる。
【００２８】
管理階床割付部１４は、仮電圧値データの大きさに応じてそれぞれの階の管理階床データの割り付けが完了すると、管理階床データと、管理階床データに対応する電圧値データ（正電圧値データ）とを関連付けた割付完了情報を、それぞれの乗場表示器制御盤２０に対して送信する。即ち、親局マイコン１１は、管理階床割付部１４が割り付けた全階床の割付結果を、正電圧値データと管理階床データとを関連づけた割付完了情報として生成し、伝送信号ライン４０を介して各子局マイコン２１に送信する（管理階床データ割付ステップ、ステップＳ１０６）。
【００２９】
これに対して、それぞれの乗場表示器制御盤２０内の電圧値比較部２５は、直列信号伝送路である伝送信号ライン４０を介して受信した割付完了情報に含まれる正電圧値データと、自身の電圧値記憶部２４に保存された仮電圧値データ（自身が親局マイコン１１に送信した仮電圧値データ）とが一致するか否かを比較する。
【００３０】
そして、仮電圧値データと正電圧値データとが一致した場合には、それぞれの電圧値比較部２５は、正電圧値データと関連づけて送信されてきた管理階床データを取り出し、自身の管理階床データ記憶部２６に保存（設定）する（管理階床データ設定ステップ、ステップＳ１０７）。
【００３１】
子局マイコン２１は、自身の管理階床データ記憶部２６に管理階床データが保存されると、親局マイコン１１に管理階床データ保存完了の情報を送信する（ステップＳ１０８）。親局マイコン１１は、全階床から管理階床データ保存完了の情報を受け取ると、管理階床割付部１４で割り付けられた管理階床データを、全階床の割付後管理階床データとして割付後管理階床データ記憶部１５に保存する（ステップＳ１０９）。以上のようにして、管理階床データの設定が完了する。
【００３２】
このような伝送信号装置では、乗場電源部と各子局マイコンとを接続する直流電源供給ラインの長さが、乗場電源部から各乗場の乗場表示器制御盤までの距離に応じてそれぞれ異なっている。また、乗場電源部から各子局マイコンへ供給される電源は、乗場電源部により直流電源に変換されている。このような構成を備えることで、親局マイコンは、直流電源供給ラインの長さの差による電圧の差により全て異なる仮電圧値データを用いて、仮電圧値データの最低値から順に乗場電源部から離れた階床の管理階床データとして割り付けることで、管理階床データを自動的に設定することができる。
【００３３】
この結果、管理階床データを設定するために別の装置を設置する必要がなくなる。従って、エレベータの据付時、作業員による設置作業の増加を抑制し、さらに、コストの低減化を図ることができるという効果を得ることができる。
【００３４】
実施の形態２．
先の実施の形態１では、乗場表示器２００が、管理階床データ設定に関与していない。このとき、各階床で消費される消費電流が低いと各階床の仮電圧値データの差が微量となり、管理階床割付部１４が仮電圧値データの差に基づいて管理階床データを正確に割り付けることが困難になるおそれがある。そこで、各階床で消費される消費電流を増加させ、各階床の仮電圧値データの差をより顕著とするために、本実施の形態２では、乗場表示器２００が、管理階床データ設定に関与する場合について説明する。ただし、本実施の形態２の伝送信号装置の構成は、先の実施の形態１と同様である。
【００３５】
図３は、本発明の実施の形態２による伝送信号装置を用いた管理階床データ設定方法を示すフローチャートである。本実施の形態２における図３に示したフローチャートは、先の実施の形態１における図２のフローチャートに対して、ステップＳ２０１をさらに備えている点が異なっている。そこで、このステップＳ２０１を中心に、以下に説明する。
【００３６】
先の実施の形態１と同様に、ステップＳ１０１〜ステップＳ１０３まで進む。このとき、親局マイコン１１は、割付後管理階床データ記憶部１５に管理階床データが保存されていない場合には、各子局マイコン２１に乗場表示器２００を点灯させる指示を出す（ステップＳ２０１）。このとき、親局マイコン１１は、乗場表示器２００を点灯させる指示を出すと同時に、各子局マイコン２１に乗場表示器２００を点灯させた後の仮電圧値データを返送する指示を送信している。
【００３７】
各子局マイコン２１は、乗場表示器２００を点灯させる指示を受けると、乗場表示器点灯情報を、Ｉ／Ｆ回路部２７に送信する。Ｉ／Ｆ回路部２７は、乗場表示器点灯情報を受け、方向灯２０１、インジケータ２０２、及び呼び釦灯２０３の全てを同時に点灯させる。これにより、乗場表示器２００によって消費される分だけ、乗場表示器制御盤２０全体の消費電流は増加する。ステップＳ２０１の後に、先の実施の形態１と同様のステップＳ１０４に戻るが、各子局マイコン２１は、乗場表示器２００が点灯した後の仮電圧値データを返送する指示を受けているため、子局マイコン２１がＡ／Ｄ変換した仮電圧値データには、乗場表示器２００による消費電流が反映されている。その後のステップは、先の実施の形態１と同様である。
【００３８】
このように、本発明の実施の形態２における管理階床データ設定方法では、仮電圧値データが、乗場表示器２００による消費電流が反映された値になるので、乗場電源部３０から離れるにつれて各乗場表示器制御盤２０の電圧値の差をさらに大きくすることができる。これにより、各階床で消費される消費電流が低いことによって各階床の仮電圧値データの差が微量となることを防ぐことができる。この結果、管理階床割付部１４は、各階床の仮電圧値データの差に基づいて、管理階床データを正確に割り付けることができる。
【００３９】
以上のように実施の形態２によれば、管理階床データ設定方法は、乗場表示器を点灯させるステップと、乗場表示器点灯後の電圧をＡ／Ｄ変換するステップとを有している。このようなステップを備えることで、各階床での消費電流による電圧の差を大きくすることができる。この結果、管理階床割付部は、より確実に管理階床データの自動割付を行うことができるという効果を得ることができる。
【００４０】
実施の形態３．
先の実施の形態１では、制御盤１０が昇降路の上部に設けられた機械室に設置されている。これに伴い、管理階床割付部１４には、仮電圧値データの最低値を有する階（即ち、乗場電源部３０から最も離れた階）に最下階の管理階床データを割り付ける割付設定がされている。これに対し、本実施の形態３では、制御盤１０が昇降路のピット内に設けられている。これに対応するために、仮電圧値データの最低値を有する階に最上階の管理階床データを割り付ける割付設定に切り換えられる割付階順序切換部６０を有している例について説明する。
【００４１】
図４は、本発明の実施の形態３による伝送信号装置を示す構成図である。図４に示すように、制御盤１０は、昇降路の下部に設けられた図示しないピットに設置されている。従って、本実施の形態３のエレベータには、機械室レスエレベータが用いられている。
【００４２】
制御盤１０は、実施の形態１の構成に加えて、制御基板上に搭載された割付階順序切換部６０をさらに有している。割付階順序切換部６０には、工場出荷時に制御盤１０が設置される場所に合わせて割付設定方法が設定されている。その他の構成は、先の実施の形態１と同様である。
【００４３】
次に、本発明の実施の形態３における管理階床データ設定方法について説明する。図５は、本発明の実施の形態３による伝送信号装置を用いた管理階床データ設定方法を示すフローチャートである。本実施の形態３における図５に示したフローチャートは、先の実施の形態１における図２のフローチャートに対して、ステップＳ３０１、Ｓ３０２をさらに備えている点が異なっている。そこで、このステップＳＳ３０１、Ｓ３０２を中心に、以下に説明する。
【００４４】
先の実施の形態１と同様に、ステップＳ１０１〜ステップＳ１０４まで進む。親局マイコン１１は、管理階床割付部１４に全ての階床の仮電圧値データの大きさを基に、それぞれの仮電圧値データ毎に管理階床データを割り付ける指示を出す前に、割付階順序切換部６０に割付設定が機械室有りか無しかを確認する（ステップＳ３０１）。先の実施の形態１のように機械室有りの場合、ステップＳ１０５に進む。
【００４５】
一方、本実施の形態３のように機械室無しの場合、管理階床割付部１４は、仮電圧値データの最低値を有する階に最上階の管理階床データを割り付ける（ステップＳ３０２）。その後、ステップＳ１０６に進む。その後のステップは、先の実施の形態１と同様である。
【００４６】
以上のように実施の形態３によれば、制御盤は、機械室の有無で管理階床割付部の割付設定を切り換える割付階順序切換部を有している。このような構成を備えることで、伝送信号装置は、乗場電源部の設置位置に依存せずに、管理階床データの割り付けを行うことができ、機械室有りのエレベータ及び機械室レスのエレベータの両方に対応可能となる。この結果、乗場電源部の設置位置が異なる場合にも、装置共通化した上で、適切な切り替え設定を行うことで対応でき、コストが低減化されるという効果を得ることができる。
【００４７】
なお、本実施の形態３の制御盤１０を、先の実施の形態２の制御盤１０に用いてもよい。
【００４８】
実施の形態４．
先の実施の形態１では、１つのトランス１６に対して１つの乗場電源部３０が直接接続され、１つの乗場電源部３０から複数の乗場表示器制御盤２０に直流電源を供給している。しかしながら、エレベータの階床が増加した場合には、エレベータの階床を複数のブロックに区切り、ブロック毎に乗場電源部３０を使用する必要がある。
【００４９】
このように、１つのトランス１６に対して複数の乗場電源部３０を設ける場合には、それぞれの乗場電源部３０をブロック毎に適切な位置に配置することとなる。この結果、各乗場電源部３０と各乗場表示器制御盤２０とを接続する直流電源供給ライン５０ｂの長さが同じものが、他のブロックに存在することがある。この状態で、１つのトランス１６から複数の乗場電源部３０に対して同時に交流電源を供給すると、各子局マイコン２１から親局マイコン１１に送られてくる仮電圧値データには、その差が顕著でないものが存在する。これにより、管理階床割付部１４は、仮電圧値データの差に基づいて、複数のブロックに区分けされた全ての階床の管理階床データを正確に割り付けることができないおそれがある。
【００５０】
また、間違った管理階床データを割り付けることを回避するために、複数の乗場電源部３０のそれぞれに対応した複数のトランス１６を設け、それぞれの乗場電源部３０に供給する交流電源の大きさを変えることで、全ての階床における仮電圧値データの差を識別可能とすることも考えられる。しかしながら、トランス１６を複数設けることでコストが増加する問題がある。
【００５１】
そこで、本実施の形態４では、１つのトランス１６に対して複数の乗場電源部３０が電源切換部７０を介して接続される構成を有している。すなわち、通常運転モード時においては、電源切換部７０により全ての乗場電源部３０に交流電源が供給されるが、管理階床データを設定するモード時（即ち、管理階床データの割り付けモード時）においては、電源切換部７０により１つの乗場電源部３０のみに交流電源が供給される構成となっている。即ち、電源切換部７０は、管理階床データを設定するモード時には、外部（親局マイコン１１）からの切換信号に応じて選択を切り換えた乗場電源部３０のいずれか一つに対して交流電源を供給する。
【００５２】
図６は、本発明の実施の形態４による伝送信号装置を示す構成図である。図６に示すように、本実施の形態４では、エレベータの階床が、最下階〜Ｎ階までとＮ＋１階〜Ｎ＋ｎ階までの２つのブロックに区切られている。また、制御盤１０の制御基板上には、管理階床データを設定するときのみ電源供給を切り換えるスイッチである電源切換部７０が搭載されている。電源切換部７０は、トランス１６と交流電源供給ライン５０ａにより接続されている。また、電源切換部７０は、複数（この例では、２つ）の乗場電源部３０（以下、必要に応じて電源装置３０ａ，３０ｂを用いる）と交流電源供給ライン５０ａにより接続されている。トランス１６で変換された直流電源は、管理階床データ設定時のみ、電源切換部７０を介して乗場電源部３０ａ，３０ｂのいずれか一方に供給される。
【００５３】
乗場電源部３０ａは、Ｎ＋１階〜Ｎ＋ｎ階までの各乗場表示器制御盤２０と直流電源供給ライン５０ｂを通して接続されている。また、乗場電源部３０ｂは、最下階〜Ｎ階までの各乗場表示器制御盤２０と直流電源供給ライン５０ｂを通して接続されている（Ｎ，ｎは、任意の整数）。その他の構成は、先の実施の形態１と同様である。
【００５４】
次に、本発明の実施の形態４における管理階床データ設定方法について説明する。図７は、本発明の実施の形態４による伝送信号装置を用いた管理階床データ設定方法を示すフローチャートである。本実施の形態４における図７に示したフローチャートは、先の実施の形態１における図２のフローチャートに対して、ステップＳ４０１、Ｓ４０２をさらに備えている点が異なっている。そこで、このステップＳ４０１、Ｓ４０２を中心に、以下に説明する。
【００５５】
先ず、親局マイコン１１は、管理階床データを設定するモードにおいて、電源切換部７０に乗場電源部３０ａのみ電源供給を行う指示を出す（ステップＳ４０１）。この後、先の実施の形態１と同様のステップＳ１０１〜Ｓ１０９を、Ｎ＋１階〜Ｎ＋ｎ階の間で行う。
【００５６】
Ｎ＋１階〜Ｎ＋ｎ階までの管理階床データの設定が完了すると、親局マイコン１１は、電源供給を乗場電源部３０ａから乗場電源部３０ｂへ切り換える（ステップＳ４０２）。この後、再度、先の実施の形態１と同様のステップＳ１０１〜Ｓ１０９を、最下階〜Ｎ階の間で行う。以上のようにして、全階床の管理階床データの設定が完了する。
【００５７】
このように、本発明の実施の形態４における伝送信号装置では、管理階床データを設定するときには、乗場電源部３０ａ，３０ｂのいずれか一方にのみ電源を供給する電源切換部７０が設けられている。これにより、１つのトランス１６に対してブロックごとに異なる乗場電源部３０ａ，３０ｂが接続されている場合にも、ブロックごとに、順次、管理階床データの設定を行うことができる。従って、１つのブロック内で、各階床の仮電圧値データの差が確保できれば、他のグループとの間での仮電圧値データの差を確保する必要がなく、全ての階床に対して正しい管理階床データを割り付けることができる。
【００５８】
また、電源切換部７０を設けることで、複数の乗場電源部３０に対して１つのトランス１６で対応が可能になっているので、複数の乗場電源部３０毎にトランス１６を設けることに比べてコストの低減化を図ることができる。
【００５９】
以上のように実施の形態４によれば、伝送信号装置は、トランスと各乗場表示器制御盤との間に制御盤に設けられた電源切換部を有している。このような構成を備えることで、エレベータの階床が増加したときでも、全ての階床に正しい管理階床データを割り付けることができる。この結果、トランスを複数設置することなく、１台のトランスで全階床の管理階床データを設定することができるので、伝送信号装置のコストが低減化されるという効果を得ることができる。
【００６０】
なお、本実施の形態４の電源切換部７０を先の実施の形態２に用いてもよい。
【００６１】
また、各上記実施の形態では、親局ＵＡＲＴ回路１２及び子局ＵＡＲＴ回路２２をそれぞれ制御盤１０の制御基板及び乗場表示器制御盤２０の制御基板に搭載しているが、それぞれ親局マイコン１１及び子局マイコン２１に内蔵されていてもよい。
【００６２】
また、親局ＵＡＲＴ回路１２と子局ＵＡＲＴ回路２２とを、それぞれ親局マイコン１１と子局マイコン２１とのインターフェースとして機能させているが、親局マイコン１１と子局マイコン２１との間で信号伝送可能な手段であれば、代用可能である。
【符号の説明】
【００６３】
１０  制御盤、１１  親局マイコン（親局制御部）、２０  乗場表示器制御盤、２１  子局マイコン（子局制御部）、２６  割付後管理階床データ記憶部（記憶部）、３０  乗場電源部、４０  伝送信号ライン、５０ｂ  直流電源供給ライン（電源供給ライン）、７０  電源切換部、２００  乗場表示器。
【図１】
2015089844.tif 000003
【図２】
2015089844.tif 000004
【図３】
2015089844.tif 000005
【図４】
2015089844.tif 000006
【図５】
2015089844.tif 000007
【図６】
2015089844.tif 000008
【図７】
2015089844.tif 000009